(57)【特許請求の範囲】
【請求項１】
硬貨を収納する１つ以上のコインチューブを有し、前記硬貨の収納および払出しをする硬貨処理装置に着脱可能なカセットチューブと、
前記カセットチューブに取り付けられる押圧部材と、
前記カセットチューブに取り付けられ、前記押圧部材を係止する係止部材と、
を備え、
前記カセットチューブには、前記コインチューブごとに形成された開孔部、および前記開孔部に対応する位置に形成された係合溝が設けられ、
前記押圧部材は、
前記係合溝に係合して、前記押圧部材を前記カセットチューブに取り付ける第１係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する第１弾性部と、
を有し、
前記係止部材は、
前記押圧部が前記開孔部を介して前記コインチューブの内径より内側に進入した状態で前記第１係合部と係合して、前記押圧部の位置を固定する第２係合部と、
前記第２係合部が前記第１係合部と係合する方向に付勢する第２弾性部と、
を有することを特徴とする硬貨収納装置。
【請求項２】
前記係止部材は、前記第２係合部が前記第１係合部と対向して前記硬貨の板厚方向にスライド可能に、前記カセットチューブに取り付けられ、
前記第２弾性部は、前記硬貨の板厚方向のうち、前記第２係合部が前記第１係合部と係合する第１の方向に付勢し、
前記第２係合部は、前記第１係合部と係合した状態で、前記係止部材に前記第１の方向と反対の第２の方向の荷重が加えられると、前記第２の方向にスライドして前記第１係合部との係合を解除することを特徴とする請求項１に記載の硬貨収納装置。
【請求項３】
前記開孔部は、前記コインチューブごとに前記硬貨の板厚方向に複数形成され、
前記係合溝は、前記開孔部の前記硬貨の板厚方向の位置に対応して複数形成され、
前記押圧部材は、前記第１係合部が前記係合溝のそれぞれに着脱可能に係合して、前記カセットチューブに取り付けられることを特徴とする請求項１または請求項２に記載の硬貨収納装置。
【請求項４】
前記第１弾性部は、前記押圧部材が前記カセットチューブに取り付けられた状態で先端が前記カセットチューブに当接するように、前記押圧部材の本体から前記硬貨の板厚方向の両側に延びる弓形に形成され、前記押圧部材が前記カセットチューブから離れる方向に付勢することを特徴とする請求項３に記載の硬貨収納装置。
【請求項５】
硬貨の収納および払出しをする硬貨処理装置であって、
筐体と、
前記硬貨を収納する１つ以上のコインチューブを有し、前記筐体に着脱可能なカセットチューブと、
前記カセットチューブに取り付けられる押圧部材と、
前記カセットチューブに取り付けられ、前記押圧部材を係止する係止部材と、
を備え、
前記カセットチューブには、前記コインチューブごとに形成された開孔部、および前記開孔部に対応する位置に形成された係合溝が設けられ、
前記押圧部材は、
前記係合溝に係合して、前記押圧部材を前記カセットチューブに取り付ける第１係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する第１弾性部と、
を有し、
前記係止部材は、
前記押圧部が前記開孔部を介して前記コインチューブの内径より内側に進入した状態で前記第１係合部と係合して、前記押圧部の位置を固定する第２係合部と、
前記第２係合部が前記第１係合部と係合する方向に付勢する第２弾性部と、
を有することを特徴とする硬貨処理装置。
【請求項６】
前記係止部材は、前記第２係合部が前記第１係合部と対向して前記硬貨の板厚方向にスライド可能に、前記カセットチューブに取り付けられ、
前記第２弾性部は、前記硬貨の板厚方向のうち、前記第２係合部が前記第１係合部と係合する第１の方向に付勢し、
前記第２係合部は、前記第１係合部と係合した状態で、前記係止部材に前記第１の方向と反対の第２の方向の荷重が加えられると、前記第２の方向にスライドして前記第１係合部との係合を解除することを特徴とする請求項５に記載の硬貨処理装置。
【請求項７】
前記係止部材の一部は、
前記第２係合部が前記第１係合部と係合した状態で前記カセットチューブより突出し、
前記第２係合部が前記第１係合部と係合した状態で前記カセットチューブが前記筐体に取り付けられると、前記第２の方向の荷重が加えられることを特徴とする請求項６に記載の硬貨処理装置。
【発明の詳細な説明】
【技術分野】
【０００１】
本発明は、硬貨収納装置および硬貨処理装置に関する。
【背景技術】
【０００２】
自動販売機、両替機等では、投入された硬貨を識別し、収納もしくは返却する硬貨処理装置が使用されている。また、自動販売機には、販売した商品に対する釣銭の払出し機能を有した硬貨処理装置も使用されている。
【０００３】
このような硬貨処理装置を備えた自動販売機等において、ルートマンが釣銭硬貨を回収・補充する際には、カセットチューブ（カセット式コインチューブ）内に保持される硬貨を所定枚数とする必要がある。例えば、特許文献１では、シリコンゴム等の弾性体を、側面に設けられた開孔を介してカセットチューブの内方に突出させ、硬貨を対向する内壁面に押圧して支持することによって、硬貨の回収をスピーディに行うことができる硬貨処理装置が開示されている。
【０００４】
このようにして、開孔が設けられた位置に対応する所定枚数目の硬貨を弾性支持することによって、カセットチューブ内に所定枚数を残して、所定枚数を超える余剰硬貨を回収することができる。
【先行技術文献】
【特許文献】
【０００５】
【特許文献１】特許第３１９７６７５号公報
【発明の概要】
【発明が解決しようとする課題】
【０００６】
しかしながら、特許文献１の硬貨処理装置では、設計や製造の段階で、カセットチューブ内に残すべき硬貨の保持枚数を決定しておく必要がある。そして、予め、決定された保持枚数に対応する位置に開孔を設け、さらにその開孔に対応して弾性体を設けておく必要がある。
【０００７】
したがって、ルートマンは、硬貨の保持枚数を、設計された開孔および弾性体の個数分の候補から選択する必要があり、それらの候補とは異なる新たな保持枚数の要求に対しては、開孔および弾性体の再設計が必要となるため、容易に対応することはできない。また、自動販売機等の用途・場所等により異なる保持枚数の要求をすべて満たすため、予め可能性があるすべての位置に開孔および弾性体を設けることは、製造コストの上昇を招くとともに、開孔および弾性体の個数が多くなると設計が困難である場合もある。
【０００８】
さらに、特許文献１の硬貨処理装置では、複数の種類の硬貨を一度に回収する場合、例えば１００円硬貨、５０円硬貨、１０円硬貨用の弾性体をそれぞれ人差し指、中指、薬指で押さえる必要があるため、押圧力が不安定になりやすい。一方、両手を使って複数の種類の硬貨を安定して押圧することもできるが、この場合には、両手が塞がってしまうため、集金袋などに硬貨を回収するのが困難となる。
【課題を解決するための手段】
【０００９】
前述した課題を解決する主たる本発明は、硬貨を収納する１つ以上のコインチューブを有し、前記硬貨の収納および払出しをする硬貨処理装置に着脱可能なカセットチューブと、前記カセットチューブに取り付けられる押圧部材と、前記カセットチューブに取り付けられ、前記押圧部材を係止する係止部材と、を備え、前記カセットチューブには、前記コインチューブごとに形成された開孔部、および前記開孔部に対応する位置に形成された係合溝が設けられ、前記押圧部材は、前記係合溝に係合して、前記押圧部材を前記カセットチューブに取り付ける第１係合部と、前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、前記押圧部材が前記カセットチューブに取り付けられた状態で前記押圧部を前記コインチューブの内径より外側に退出させるように付勢する第１弾性部と、を有し、前記係止部材は、前記押圧部が前記開孔部を介して前記コインチューブの内径より内側に進入した状態で前記第１係合部と係合して、前記押圧部の位置を固定する第２係合部と、前記第２係合部が前記第１係合部と係合する方向に付勢する第２弾性部と、を有することを特徴とする硬貨収納装置である。
【００１０】
本発明の他の特徴については、添付図面及び本明細書の記載により明らかとなる。
【発明の効果】
【００１１】
本発明によれば、複数の種類の硬貨を一度に回収する場合の作業効率を向上させることができる。
【図面の簡単な説明】
【００１２】
【図１】硬貨処理装置の外観構成例を示す図である。
【図２】硬貨処理装置の内部構成例を示す図である。
【図３】カセットチューブの外観構成例を示す図である。
【図４】カセットチューブの内部構成例を示す図である。
【図５】本発明の一実施形態における硬貨収納装置の構成を示す図である。
【図６】本発明の一実施形態における硬貨収納装置の内部構成を示す図である。
【図７】レバー６００の構成の詳細を示す斜視図である。
【図８】スライド板６３０の構成の詳細を示す斜視図である。
【図９】固定片６４０の構成の詳細を示す斜視図である。
【図１０】待機状態においてカセットチューブ２００をレバー６００の押圧部６０４の位置で切断した水平断面図である。
【図１１】動作状態においてカセットチューブ２００をレバー６００の押圧部６０４の位置で切断した水平断面図である。
【図１２】硬貨保持状態においてカセットチューブ２００をレバー６００の押圧部６０４の位置で切断した水平断面図である。
【図１３】固定状態においてカセットチューブ２００をスライド板６３０の位置で切断した垂直断面図である。
【図１４】解除状態においてカセットチューブ２００をスライド板６３０の位置で切断した垂直断面図である。
【発明を実施するための形態】
【００１３】
本明細書および添付図面の記載により、少なくとも以下の事項が明らかとなる。
【００１４】
＝＝＝硬貨処理装置の概要＝＝＝
図１ないし図４を参照しつつ、硬貨処理装置（コインメック）１０００の概要について説明する。なお、図１は、硬貨処理装置１０００の外観構成例を示す斜視図である。図２は、硬貨処理装置１０００の内部構成例を示す図である。図３は、カセットチューブ２００の外観構成例を示す斜視図である。図４は、カセットチューブ２００の内部構成例を示す図である。
【００１５】
以下の説明において、図中の＋ｚ軸方向は硬貨処理装置１０００の鉛直上向きに対応し、＋ｙ軸方向は硬貨処理装置１０００の正面側から背面側に向かう向きに対応し、＋ｘ軸方向は硬貨処理装置１０００を正面から見たときに左側から右側に向かう向きに対応するものとする。
【００１６】
図１に例示されるように、硬貨処理装置１０００は、筐体１００内に硬貨投入口１０１と硬貨選別部１１０とカセットチューブ２００とが収容されるとともに、ケーブル１２０を有して構成されている。
【００１７】
ケーブル１２０は、硬貨処理装置１０００が設置される自動販売機（不図示）の各種制御回路や電源等と、硬貨処理装置１０００とを接続するための接続部である。
【００１８】
硬貨選別部１１０は、硬貨投入口１０１に投入された硬貨Ｃの真偽を判別するとともに、硬貨Ｃを種類別に分類する装置である。
【００１９】
カセットチューブ２００は、硬貨選別部１１０により種類別に分類された硬貨Ｃを種類別に収納しておく装置である。
【００２０】
図２に例示されるように、硬貨処理装置１０００は、筐体１００の上面側に硬貨投入口１０１を備え、硬貨投入口１０１の下部において、硬貨Ｃの投入を検出するとともにその種類や真偽等を判別する硬貨検出部１０２、判別の結果に基づいて受け入れた硬貨Ｃを金種別に振り分けるゲート１１１、１１２、１１３、１１４、振り分けた硬貨Ｃを釣銭硬貨として金種別に収納するカセットチューブ２００等を備えている。
【００２１】
またカセットチューブ２００は、釣銭硬貨としての硬貨Ｃの満杯の有無を検出する満杯センサ１０３や、釣銭硬貨としての硬貨Ｃの有無を検出する釣銭センサ１０４、硬貨Ｃを釣銭として払出すための所定の払出し手段（不図示）等を備えている。
【００２２】
図２の点線の矢印で示されるように、硬貨投入口１０１から投入された硬貨Ｃは、硬貨検出部１０２で検出されるとともに所定の判別が行なわれた後、この判別結果に応じてゲート１１１、１１２、１１３、１１４によって金種別に振り分けられて、カセットチューブ２００に収納されるようになっている。
【００２３】
そしてこのカセットチューブ２００内に貯蔵される硬貨Ｃは、定期的にルートマン等の保守員により回収あるいは補充される。保守員は、自動販売機のメンテナンス時に、カセットチューブ２００を硬貨処理装置１０００から取り外し、カセットチューブ２００内の硬貨Ｃが規定の枚数あるいは金額になるように、各種類の硬貨Ｃを補充あるいは回収する。
【００２４】
カセットチューブ２００の外観構成例を図３に示す。またカセットチューブ２００の内部構成例を図４に示す。
【００２５】
カセットチューブ２００は、硬貨Ｃの種類に応じた内径を有する複数の円筒（コインチューブ）を有している。図４に示す例では、カセットチューブ２００は、５００円硬貨用チューブ２０１と、１００円硬貨用チューブ２０２と、１０円硬貨用チューブ２０３と、５０円硬貨用チューブ２０４と、予備チューブ２０５とを有している。
【００２６】
また図４に示すように、カセットチューブ２００はベース２１０とカバー２２０とを有して構成される。ベース２１０とカバー２２０とは開閉可能に構成されている。図４は、カバー２２０を開いた状態を示す。
【００２７】
ベース２１０は、硬貨Ｃが収納される円筒の一部を形成する半円筒面が、硬貨Ｃの種類毎に複数形成されている。またカバー２２０は、硬貨Ｃが収納される円筒の他の一部を形成する半円筒面が、硬貨Ｃの種類毎に形成されている。
【００２８】
そしてベース２１０とカバー２２０とを閉じてそれぞれの半円筒面を合体することにより、硬貨Ｃが収納される円筒が形成される。
【００２９】
＝＝＝硬貨収納装置の構成＝＝＝
以下、図５ないし図９を参照して、本発明の一実施形態における硬貨収納装置の構成について説明する。なお、本実施形態の硬貨収納装置は、カセットチューブ２００、レバー６００（押圧部材）、スライド板６３０、および固定片６４０からなる。ここで、スライド板６３０および固定片６４０は、レバー６００を係止する係止部材に相当し、当該係止部材として一体に構成されていてもよい。
【００３０】
図５は、カセットチューブ２００のカバー２２０側（硬貨処理装置１０００の背面側）にレバー６００を取り付けた状態を示し、図６は、カセットチューブ２００のベース２１０側（硬貨処理装置１０００の正面側）にスライド板６３０および固定片６４０を取り付けた状態を示している。また、図７ないし図９は、それぞれレバー６００、スライド板６３０、および固定片６４０の構成の詳細を示している。
【００３１】
図５に示すように、カセットチューブ２００のカバー２２０側には、各コインチューブのｚ軸方向（硬貨の板厚方向）に複数形成された開孔部６２０、および開孔部６２０のｚ軸方向の位置に対応して各コインチューブ間に形成された係合溝６１０が設けられている。なお、係合溝６１０および開孔部６２０は、各コインチューブに対応して設けられるが、図５においては、２つのコインチューブについてのみ示されている。
【００３２】
図７に示すように、レバー６００は、ボディ部６０１（本体）、（第１）弾性部６０２、（第１）係合部６０３、および押圧部６０４を有し、プラスチック等の樹脂で形成されている。弾性部６０２は、その先端がボディ部６０１より−ｊ軸方向に位置するように、ボディ部６０１からｋ軸方向の両側（＋ｋ軸方向および−ｋ軸方向）に弓形に延びるように形成されている。また、ボディ部６０１の−ｊ軸方向（弾性部６０２への荷重の方向）側には、両側の弾性部６０２の中間点付近から延びる係合部６０３が形成され、係合部６０３より−ｉ軸方向の位置に押圧部６０４が形成されている。
【００３３】
レバー６００は、図７における＋ｉ軸方向、＋ｊ軸方向、＋ｋ軸方向が、それぞれ図５における＋ｘ軸方向、＋ｙ軸方向、＋ｚ軸方向と一致するように、係合部６０３が係合溝６１０に係合してカセットチューブ２００（カバー２２０）に取り付けられる。なお、レバー６００の係合部６０３は、各係合溝６１０に対して着脱可能に係合する。
【００３４】
レバー６００がカバー２２０に取り付けられると、弾性部６０２の先端がカバー２２０に当接し、弾性部６０２は、レバー６００全体を＋ｙ軸方向（カバー２２０から離れる方向）に付勢する。ここで、開孔部６２０は、レバー６００の係合部６０３を各係合溝６１０に係合させた状態での押圧部６０４の位置に対応して形成されている。
【００３５】
図８に示すように、スライド板６３０は、（第２）係合部６３１および溝部６３２を有し、プラスチック等の樹脂で略長方形の板状に形成されている。図８において、ｋ軸方向およびｊ軸方向は、それぞれスライド板６３０の長手方向および短手方向に対応し、ｉ軸方向は、スライド板６３０の板厚方向に対応する。また、スライド板６３０の長手方向の側面のうち、＋ｊ軸方向側の側面には、係合部６３１が形成され、−ｊ軸方向側の側面には、＋ｋ軸方向側の端部付近に溝状に切り欠かれた溝部６３２が形成されている。
【００３６】
なお、レバー６００の係合部６０３とスライド板６３０の係合部６３１とは、互いに係合可能なフック状に形成されている。また、係合部６３１の個数および間隔は、カセットチューブ２００のカバー２２０側に設けられる開孔部６２０および係合溝６１０に応じて定まり、図８に示す例では、スライド板６３０に係合部６３１が３個形成されている。
【００３７】
図９に示すように、固定片６４０は、突起部６４１および（第２）弾性部６４２を有し、プラスチック等の樹脂で形成されている。突起部６４１は、固定片６４０の本体から＋ｊ軸方向に突出して形成されている。また、弾性部６４２は、その先端が基端より−ｋ軸方向に位置するように、固定片６４０の本体からｉ軸方向の両側（＋ｉ軸方向および−ｉ軸方向）に略半円状に延びるように形成されている。
【００３８】
なお、スライド板６３０の溝部６３２と固定片６４０の突起部６４１とは、嵌合可能に形成されている。また、図９に示す例では、固定片６４０に突起部６４１が２個形成されており、それらは、２個のスライド板６３０の溝部６３２にそれぞれ嵌合することとなる。
【００３９】
スライド板６３０および固定片６４０は、図９における＋ｉ軸方向、＋ｊ軸方向、＋ｋ軸方向が、それぞれ図６における＋ｘ軸方向、＋ｙ軸方向、＋ｚ軸方向と一致するように、カセットチューブ２００（ベース２１０）に取り付けられる。その際、固定片６４０は、各コインチューブと干渉しないベース２１０の−ｙ軸方向側に、弾性部６４２の先端部の位置を固定して取り付けられる。また、ベース２１０には、各コインチューブ間にスライド板６３０を取り付けるためのスリットが設けられており、スライド板６３０は、当該スリットを介して、溝部６３２に固定片６４０の突起部６４１が嵌合するように取り付けられる。
【００４０】
スライド板６３０および固定片６４０がベース２１０に取り付けられると、スライド板６３０の係合部６３１はレバー６００の係合部６０３と対向する。このとき、各コインチューブ間に設けられたスリットがガイドレールとして機能し、スライド板６３０は、溝部６３２に固定片６４０の突起部６４１が嵌合した状態でｚ軸方向にスライド可能となる。そして、固定片６４０は、弾性部６４２の先端部の位置が固定されているため、スライド板６３０を＋ｚ軸方向（係合部６３１がレバー６００の係合部６０３と係合する第１の方向）に付勢する。
【００４１】
＝＝＝硬貨収納装置の作用＝＝＝
以下、図１０ないし図１４を適宜参照して、本実施形態における硬貨収納装置の作用について説明する。
【００４２】
図１０ないし図１２は、係合部６０３を何れかの係合溝６１０に係合させてレバー６００をカセットチューブ２００（カバー２２０）に取り付けた状態を示している。図１０は、ボディ部６０１に荷重を加えていない待機状態において、カセットチューブ２００をレバー６００の押圧部６０４の位置で切断した水平断面図である。一方、図１１は、ボディ部６０１に指等で荷重を加えて、レバー６００全体を−ｙ軸方向（−ｊ軸方向）に動作させた動作状態において、カセットチューブ２００を押圧部６０４の位置で切断した水平断面図である。また、図１２は、動作状態、特に押圧部６０４でコインチューブ内の硬貨を押圧して保持した硬貨保持状態において、カセットチューブ２００を押圧部６０４の位置で切断した水平断面図である。
【００４３】
また、図１３は、スライド板６３０および固定片６４０によってレバー６００が係止され、押圧部６０４の位置が固定された固定状態において、カセットチューブ２００をスライド板６３０の位置で切断した垂直断面図である。一方、図１４は、スライド板６３０（係合部６３１）とレバー６００（係合部６０３）との係合が解除された解除状態において、カセットチューブ２００をスライド板６３０の位置で切断した垂直断面図である。
【００４４】
図１０に示すように、待機状態では、弾性部６０２によってレバー６００全体が＋ｙ軸方向に付勢され、押圧部６０４はコインチューブの内径より外側にある。そのため、待機状態では、コインチューブ内の硬貨は、押圧部６０４で押圧されず、保持されない。したがって、この状態でコインチューブを傾斜させると、コインチューブ内の硬貨がすべて回収される。
【００４５】
一方、図１１に示すように、動作状態では、レバー６００全体が−ｙ軸方向に動作することによって、押圧部６０４が開孔部６２０を介してコインチューブの内径より内側に進入する。そのため、図１２に示すように、コインチューブ内の硬貨Ｃは、押圧部６０４によって、コインチューブの押圧部６０４とは反対側の内壁に押圧されて保持される。したがって、この状態でコインチューブを傾斜させると、押圧部６０４の位置より上にある硬貨は回収されるものの、押圧部６０４の位置以下の硬貨はコインチューブ内に残される。なお、ボディ部６０１に加えられる荷重のばらつきを吸収するため、押圧部６０４のうち、少なくとも硬貨との接触面をシリコンゴム等の弾性体で構成してもよい。
【００４６】
このようにして、レバー６００のボディ部６０１に荷重を加え、開孔部６２０を介して押圧部６０４で硬貨Ｃをコインチューブの内壁に押圧して保持することによって、押圧部６０４の位置以下の所定枚数の硬貨を残して、余剰硬貨を回収することができる。ここで、レバー６００の係合部６０３は、各係合溝６１０に対して着脱可能に係合する。そのため、レバー６００を取り付ける位置（係合溝６１０）を変更することによって、カセットチューブ内の硬貨の保持枚数を容易に変更することができる。
【００４７】
さらに、動作状態では、図１３に示すように、固定片６４０（弾性部６４２）によって＋ｚ軸方向に付勢されたスライド板６３０（係合部６３１）がレバー６００（係合部６０３）と係合し、レバー６００の押圧部６０４の位置が固定されて固定状態となる。そのため、指等を離してボディ部６０１に荷重が加えられなくなっても、硬貨保持状態が継続することとなる。したがって、複数のコインチューブに対してそれぞれレバー６００を取り付け、それらを固定状態としたうえでコインチューブを傾斜させると、複数の種類の硬貨について、押圧部６０４の位置以下の所定枚数の硬貨を残して、余剰硬貨を回収することができる。その際、両手が自由に使えるため、集金袋などに硬貨を回収するのも容易となり、作業効率が向上する。
【００４８】
そして、固定状態において、図１４に示すように、固定片６４０の本体に−ｚ軸方向（弾性部６４２の付勢力に抗する第２の方向）の荷重が加えられると、スライド板６３０（係合部６３１）が−ｚ軸方向にスライドしてレバー６００（係合部６０３）との係合を解除し、解除状態となる。ここで、弾性部６０２の弾性力によってレバー６００全体が＋ｙ軸方向に付勢されているため、解除状態となると、押圧部６０４がコインチューブの内径より外側に退出して、レバー６００は再び待機状態となる。
【００４９】
なお、固定状態から解除状態にするためには、固定片６４０のうち、例えば図９におけるＡの箇所を指等で荷重を加えればよい。また、図９におけるＢの箇所は、図１３に示したように、固定状態ではベース２１０より＋ｚ軸方向に突出しているため、固定状態のままカセットチューブ２００を硬貨処理装置１０００に取り付けると、固定片６４０の本体に−ｚ軸方向の荷重が加わることとなる。したがって、各コインチューブの回収後は、カセットチューブ２００をそのまま硬貨処理装置１０００に戻すことができる。
【００５０】
前述したように、カセットチューブ２００、レバー６００、スライド板６３０、および固定片６４０からなる硬貨収納装置において、カバー２２０側に設けられた係合溝６１０に係合部６０３を係合させてレバー６００をカセットチューブ２００に取り付け、レバー６００に指等で荷重を加えて、弾性部６０２によってコインチューブの内径より外側に退出させるように付勢された押圧部６０４を、開孔部６２０を介してコインチューブの内径より内側に進入させることによって、硬貨をコインチューブの内壁に押圧して保持して、押圧部６０４の位置以下の所定枚数の硬貨を残しつつ、それより上にある余剰硬貨を回収することができる。そして、固定片６４０（弾性部６４２）によって付勢されたスライド板６３０（係合部６３１）がレバー６００（係合部６０３）と係合し、レバー６００の押圧部６０４の位置を固定することによって、指等を離してボディ部６０１に荷重が加えられなくなっても硬貨保持状態が継続するため、複数の種類の硬貨を一度に回収する場合の作業効率を向上させることができる。
【００５１】
また、スライド板６３０をｚ軸方向にスライド可能とし、固定片６４０（弾性部６４２）によって＋ｚ軸方向に付勢することによって、固定片６４０の本体に荷重を加えてスライド板６３０（係合部６３１）を−ｚ軸方向にスライドさせ、レバー６００（係合部６０３）との係合を解除し、再び待機状態とすることができる。
【００５２】
また、コインチューブごとに、硬貨の板厚方向に複数形成された開孔部６２０、および開孔部６２０の硬貨の板厚方向の位置に対応して複数形成された係合溝６１０を設け、レバー６００の係合部６０３を各係合溝６１０に対して着脱可能とすることによって、レバー６００を取り付ける位置（係合溝６１０）を変更して、カセットチューブ内の硬貨の保持枚数を容易に変更することができる。
【００５３】
また、レバー６００がカバー２２０に取り付けられた状態で先端がカバー２２０に当接するように、ボディ部６０１から硬貨の板厚方向の両側に延びる弓形に弾性部６０２を形成することによって、レバー６００全体がカバー２２０から離れる方向に付勢され、解除状態となると押圧部６０４をコインチューブの内径より外側に退出させ、レバー６００を再び待機状態とすることができる。
【００５４】
また、前述したように、カセットチューブ２００、レバー６００、スライド板６３０、および固定片６４０からなる硬貨収納装置を自動販売機等の硬貨処理装置に用いることによって、複数の種類の硬貨を一度に回収する際に両手が自由に使えるため、作業効率を向上させることができる。
【００５５】
また、固定状態において、固定片６４０の一部をベース２１０より＋ｚ軸方向に突出させることによって、固定状態のままカセットチューブ２００を硬貨処理装置１０００に取り付けると、固定片６４０の本体に−ｚ軸方向の荷重が加わることとなり、各コインチューブの回収後は、カセットチューブ２００をそのまま硬貨処理装置１０００に戻すことができる。
【００５６】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５７】
１００          筐体
１０１          硬貨投入口
１０２          硬貨検出部
１０３          満杯センサ
１０４          釣銭センサ
１１０          硬貨選別部
１１１〜１１４  ゲート
１２０          ケーブル
２００          カセットチューブ
２０１          ５００円硬貨用チューブ
２０２          １００円硬貨用チューブ
２０３          １０円硬貨用チューブ
２０４          ５０円硬貨用チューブ
２０５          予備チューブ
２１０          ベース
２２０          カバー
６００          レバー（押圧部材）
６０１          ボディ部（本体）
６０２          （第１）弾性部
６０３          （第１）係合部
６０４          押圧部
６１０          係合溝
６２０          開孔部
６３０          スライド板
６３１          （第２）係合部
６３２          溝部
６４０          固定片
６４１          突起部
６４２          （第２）弾性部
１０００        硬貨処理装置（コインメック）
Ｃ              硬貨
【図２】
0005910312.tif 000002
【図５】
0005910312.tif 000003
【図６】
0005910312.tif 000004
【図７】
0005910312.tif 000005
【図８】
0005910312.tif 000006
【図９】
0005910312.tif 000007
【図１０】
0005910312.tif 000008
【図１１】
0005910312.tif 000009
【図１２】
0005910312.tif 000010
【図１３】
0005910312.tif 000011
【図１４】
0005910312.tif 000012
【図１】
0005910312.tif 000013
【図３】
0005910312.tif 000014
【図４】
0005910312.tif 000015